(57)【要約】      （修正有）【課題】骨つぼであることを気取られないように、且つ、インテリアとして使用できる骨つぼを提供する。【解決手段】骨つぼは、内骨つぼ２と、底部孔３ａから内骨つぼを挿入することで完全に覆うことが可能で、外面のデザイン性を具備するカバー３と、を有している。【選択図】図２
0003224348.tif 000002
【実用新案登録請求の範囲】
【請求項１】
内骨つぼと、
底部孔から前記内骨つぼを挿入することで完全に覆うことが可能で、外面のデザイン性を具備するカバーと、を有していることを特徴とする骨つぼ。
【請求項２】
前記カバーは、造花を挿入することが可能な挿入孔を備える蓋を有していることを特徴とする、請求項１に記載の骨つぼ。
【請求項３】
前記請求項１又は２に記載の内骨つぼは、その底部が台座に固着されていることを特徴とする骨つぼ。
【請求項４】
前記台座の上面は、鋳肌模様又は彫金模様が施されていることを特徴とする、請求項３に記載の骨つぼ。
【請求項５】
前記カバーの外周面には、前記鋳肌模様又は彫金模様を映し出す鏡面加工が施されていることを特徴とする、請求項４に記載の骨つぼ。
【考案の詳細な説明】
【技術分野】
【０００１】
本考案は、デザイン性を有した骨つぼに関する。
【背景技術】
【０００２】
近年、住宅事情や家族のあり方に関する事情に伴って、仏壇や墓石の需要が減少傾向にある。墓石の場合、後継者不足による墓の管理の観点から、生前の故人が墓の建立を遠慮する場合も見受けられ、死後の納骨については樹木葬や、納骨堂などを希望する方も増えている。また、仏壇の場合、その大きさから住宅内での置き場所に苦慮することが多く、仏間を備えない住宅も増えていることから、伝統的な仏壇の形を大きく変化させ、所謂モダン仏壇と言われる小さく、住宅の内装からも浮かないデザインのものが好まれている。
【０００３】
一般的に故人の遺骨は火葬後に骨つぼへと納められ、四十九日を経て墓や納骨堂へと入る手順を踏むことになるが、死後も身近に故人の存在を感じていたいという思いから、ミニチュアの骨つぼへ遺骨の一部を移し、仏壇や仏間へ安置する場合も見受けられる。
この場合、如何にも骨つぼめいた物が露出していることを第三者に感づかせないよう、ミニチュアの骨つぼ全体を覆う布製の袋や、特許文献１のように納骨機能を有し、且つ、デザイン性に優れた外観を有する供養箱、あるいは特許文献２のように内部に遺骨を納めつつ、故人の遺品を記念碑のように飾ることができる納骨用モニュメントなどの発明が開示されている。
【先行技術文献】
【特許文献】
【０００４】
【特許文献１】特開２０１７−１３６３３０号
【特許文献２】実用新案登録第３２１６０５５号
【考案の概要】
【考案が解決しようとする課題】
【０００５】
しかしながら、骨つぼを覆う布袋や、特許文献１あるいは特許文献２のような発明では、骨つぼらしさを軽減できるものの室内のインテリアとマッチしていると言い難く、来客した第三者に遺骨を住宅内に安置していることを感づかれてしまう可能性があった。
【０００６】
本考案は上記事情に鑑み、納骨機能を備えて、且つ、室内インテリアとして飾っても違和感のない骨つぼを提供することを目的とする。
【課題を解決するための手段】
【０００７】
内骨つぼと、底部孔から前記内骨つぼを挿入することで完全に覆うことが可能で、外面のデザイン性を具備するカバーとを有している。
【０００８】
前記カバーは、造花を挿入することが可能な挿入孔を備える蓋を有していることを特徴とする。
【０００９】
前記内骨つぼは、その底部が台座に固着されていることを特徴とする。
【００１０】
前記台座の上面は、鋳肌模様又は彫金模様が施されていることを特徴とする。
【００１１】
前記カバーの外周面には、前記鋳肌模様又は彫金模様を映し出す鏡面加工が施されていることを特徴とする。
【考案の効果】
【００１２】
請求項１に記載の考案によると、カバーの底部に備えられた底部孔から内骨つぼを挿入することで、内骨つぼをカバーによって覆い隠すことができ、且つ、カバーの外面はデザイン性を有しているため、居住空間に違和感のないインテリアの一つとして飾ることができる。
【００１３】
請求項２に記載の考案によると、挿入孔を有する蓋をカバー上部に備えることによって、該挿入孔から造花を挿入し一輪挿しのような外観を呈するので、より一層部屋の空間に彩りを醸し出すことができる。
【００１４】
請求項３に記載の考案によると、内骨つぼの底部が台座に固着していることにより、揺れによって内骨つぼが倒れてしまうのを防ぐことができる。
【００１５】
請求項４に記載の考案によると、台座の上面に鋳肌模様や彫金模様を施すことで、意匠性に優れた外観とすることができる。
【００１６】
請求項５に記載の考案によると、カバーの外周面が鏡面加工となっていることにより、台座の上面に施された鋳肌や彫金加工による模様をカバー表面に映し出すことができ、骨つぼであることを気づかせないようにしつつ、インテリアの一つとして違和感なく周囲に溶け込めることができる。
【図面の簡単な説明】
【００１７】
【図１】本考案の骨つぼ全体を示した斜視図である。
【図２】本考案の骨つぼの分解斜視図である。
【図３】本考案の骨つぼにおいて、カバーを取り外した際の斜視図である。
【考案を実施するための形態】
【００１８】
以下より、本考案の骨つぼ１について、実施の形態を詳説する。なお、本実施の形態において、骨つぼは金属製である。
本考案の骨つぼ１は、図２に示すように中空円筒状の内骨つぼ２と、前記内骨つぼ２より一回り大きく、略釣鐘状の外形を有するカバー３と、前記カバー３の頂部に備えられた蓋４と、前記蓋４の中心部を貫通している挿入孔４ｃと、前記内骨つぼ２の底部が固着している平板状の台座５を有している。
【００１９】
内骨つぼ２は中空円筒状の形状を有しており、頂部は内蓋２ａによって開閉自在に構成されている。内蓋２ａには雄ネジが設けてあって、内骨つぼ２の内壁に設けられた雌ネジと螺合するようになっており、内蓋２ａが簡単に外れないようになっている。また、内蓋２ａの上面には、図３に示すように何かしらの模様６を入れても良い。
【００２０】
カバー３は、図１及び図２に示すように、前記内骨つぼ２より一回り大きい略釣鐘状の外形を有する。カバー３の底部には、前記内骨つぼ２よりもわずかに大きい径を有した底部孔３ａが設けてあって、カバー３を持ち上げて、該底部孔３ａに内骨つぼ２を挿入することで、カバー３が内骨つぼ２を覆い隠せるよう構成されている。また、カバー３の頂部には、前記内骨つぼ２の径よりも小さい径を有した頂部孔３ｂが設けられており、該頂部孔３ｂへ嵌挿する蓋４が取り付けられている。
加えて、カバー３の外周面は鏡面加工が施されてあるため、周囲の景色がカバー３の外周面に映し出される。
【００２１】
前記蓋４は、図２に示すように、前記頂部孔３ｂのよりもやや小さい径を有した略円柱状の蓋部４ａと、前記蓋部４ａの上面に連接する中空逆円錐台形を呈した挿入口４ｂとで構成されており、蓋部４ａの中心部には、蓋部４ａを貫通する挿入孔４ｃを有している。また、蓋部４ａの上面は下面よりも一回り大きい径となるよう構成されており、鍔のように広がっている。
上記のように構成される蓋４は、カバー３の頂部孔３ｂにおいて嵌脱自在であり、頂部孔３ｂへ嵌挿する際には、挿入口４ｂを指で摘まんで蓋４を持ち上げて蓋部４ａを頂部孔３ｂへ挿入すると、鍔のように広がった蓋部４ａの上面が頂部孔３ｂの縁に引っ掛かるため、蓋４がカバー３の内部に落ちることなく頂部孔３ｂを閉じることができる。また、頂部孔３ｂから蓋４を抜脱する際は、嵌挿時と同様に挿入口４ｂを指で摘まんで上に持ち上げることで、簡単に取り出すことが可能である。
【００２２】
台座５は、図１乃至図３に示すように、略楕円形平板状の部材であり、その上面には内骨つぼ２の底部が固着されている。内骨つぼ２が固着されている面は、図示しない鋳肌や彫金加工によって模様が施されており、カバー３を内骨つぼ２に被せるとカバー３の外周面に施された鏡面加工によって、台座５に施された鋳肌や彫金加工の模様をカバー３の外周面に映すことができる。
【００２３】
次に、本考案の骨つぼ１の使用について詳説する。
まず、内蓋２ａを内骨つぼ２から外し、故人の遺骨を内骨つぼ２の内部に納め、内蓋２ａで蓋をする。その後、内骨つぼ２を底部孔３ａへと差し込むようにして、カバー３を被せる（図２を参照）。この時、カバー３に備えられている蓋４は、簡単にカバー３の頂部孔３ｂから脱落してしまうため、指で押えながらカバー３を持ち上げるか、予め蓋４を外した状態でカバー３を内骨つぼ２に被せ、その後蓋４を頂部孔３ｂへ嵌挿すると良い。
上記のように組み立てた後、そのまま室内に飾っても良いが、蓋４に備えられた挿入孔４ｃに造花を差し込むこともできるため、一輪挿しの花器としての役割を果たすことも可能である。
【００２４】
このように構成された本考案の骨つぼ１であれば、遺骨が納められた内骨つぼ２がカバー３によって覆われることで外部に露出しないため、来客した第三者が本考案の骨つぼ１を眺めたとしても、これが骨つぼ１であるということに気づきにくくなる。また、カバー３の外周面に施された鏡面加工によって、台座５の上面に施した鋳肌や彫金加工の模様がカバー３に映り込んだり、カバー３の外周面に直接デザインを施したりすることで、美観にも優れたインテリアとしても機能し、室内の日常風景の一部にさりげなく骨つぼ１が溶け込むことができる。したがって、家族や知人のように故人に近しい人々だけが、骨つぼ１の存在を認識することができ、仏壇や墓を要さずともいつでも故人へ祈りを捧げ、思いを馳せることが可能となる。
【００２５】
また、蓋４に設けられた挿入孔４ｃは蓋４を貫通するよう構成されているため、挿入孔４ｃを介して造花をカバー３へ挿し込むことができる。このため、骨つぼ１は前述のような美観に優れた置物として機能するだけでなく花器としての使用も可能となり、より骨つぼ感を無くしつつ、室内の風景に溶け込むことができる。
【００２６】
本考案の骨つぼ１は、前述のようにインテリアの一つとしても機能するため、本来の用途である骨つぼとして使用せずとも、生前から置物として飾ることもできる。持ち主の死後は遺骨を内骨つぼ２へ納めることにより、本考案は室内に彩りを添えるインテリア置物から骨つぼへと変化し、本来の骨つぼとしての役割を初めて発揮する。ゆえに、生前はインテリアの一つとして愛用しつつ、死後はそれと分からないよう構成された内骨つぼ２へ納骨されることで、持ち主の死後において家族や知人のみが故人の面影を本考案の骨つぼ１に見ることができ、日常生活の場においても故人の存在を感じ取り、居なくなった寂しさを癒すことも期待できる。
【００２７】
また、台座５はカバー３の底部よりも広い平板状の部材であるため、台座５に固着されている内骨つぼ２は不意の揺れによる転倒の危険が無く、中に納められた物が零れてしまったり、転倒の衝撃で壊れたりする危険も無くなる。
さらに、内骨つぼ２を固着させる箇所を端に寄せてスペースを作り出すことで、そのスペースに故人が生前好んでいたものを載置したり、彫金加工によって模様を付けたりすることができる。
【００２８】
本実施の形態において、内骨つぼ２に納めるものを故人の遺骨としているが、指輪や髪留め等、故人に関わるものなら何でもよい。加えて本考案の骨つぼ１は、人だけでなく犬や猫等ペット用の骨つぼとしても利用可能である。
また、本考案の骨つぼ１は金属製としているが、以上のような構成であれば木材や陶器等、他の素材であっても良い。
【符号の説明】
【００２９】
１  骨つぼ
２  内骨つぼ
３  カバー
４  蓋
４ｃ  挿入孔
５  台座
【図１】
0003224348.tif 000003
【図２】
0003224348.tif 000004
【図３】
0003224348.tif 000005